(57)【特許請求の範囲】
【請求項１】
エンジン室（１１）を構成するエンジン囲い体（１０）の上面に、複数の穴（３３）で形成された排出部（３４）と、排気マフラ（１６）が突出する孔（３５）をそれぞれ形成し、
前記エンジン囲い体（１０）に、前記排出部（３４）と前記孔（３５）とを覆うと共に、側方に排出口（４１）を備えた外側カバー（４０）を取付け、
前記エンジン室（１１）に、エンジン（４）、ファン（１４）、ラジエータ（１５）を設け、
前記エンジン囲い体（１０）の左右一側面に吸込口２５を形成すると共に、左右他側面に吐出口２７を形成し、前記ファン（１４）を駆動することで吸込口（２５）から外気を吸い込み、ラジエータ（１５）を通して吐出口２７から外部に吐出するようにしたことを特徴とする作業機械のエンジン室。
【発明の詳細な説明】
【０００１】
【発明の属する技術分野】
本発明は、木材破砕機械、岩石等の破砕機械、土質改良機械、油圧ショベル等の作業機械のエンジン室に関する。
【０００２】
【従来の技術】
特開２０００−０１５１２９号公報に木材破砕機械が記載されている。
この木材破砕機械は、機体に、回転式破砕機と、外部から投入された木材を回転によって回転式破砕機に導入する回転式タブを備えた木材破砕機、搬送コンベア、エンジン等を取付け、そのエンジンを動力源として木材破砕機で木材を破砕し、その木材破砕片を搬送コンベアで機体外部に搬送する。
【０００３】
前述の木材破砕機械にあっては木材破砕時に木材粉が発生し、その木材粉がエンジンに付着すると種々のトラブルが発生する恐れがある。
このことを解消するために、機体にエンジン囲い体を取付けてエンジン室を形成し、そのエンジン室内にエンジンを取付けて木材粉がエンジンに付着しないようにしている。
【０００４】
【発明が解決しようとする課題】
前述のようにエンジン室内にエンジンを取付けた場合には、そのエンジン室内に冷却用のファンで外気を吸込み、その吸込みした空気をラジエータを通してエンジン室外部に排出することでラジエータによってエンジンの冷却水を冷却している。
前述のエンジンは稼動時に高い熱を出し、その熱を冷却水で冷却している。
一方、前述のエンジンは停止後もある時間だけ熱を出し続ける。エンジンが停止するとファンが停止すると共に、冷却水がエンジンの冷却部を循環しないから、冷却水でエンジンを冷却できない。
【０００５】
このために、エンジン室内に設けたエンジンを停止した後に、そのエンジンが出し続ける熱がエンジン室内にこもる。
このこもり熱のためにエンジン室内の温度が高温となり、エンジン室内の熱に弱い部分が損傷する恐れがある。
例えば、エンジンの燃料スピルパイプが熱によって損傷することがある。
【０００６】
そこで、本発明は前述の課題を解決できるようにした作業機械のエンジン室を提供することを目的とする。
【０００７】
【課題を解決するための手段及び作用効果】
第１の発明は、エンジン室（１１）を構成するエンジン囲い体（１０）の上面に、複数の穴（３３）で形成された排出部（３４）と、排気マフラ（１６）が突出する孔（３５）をそれぞれ形成し、
前記エンジン囲い体（１０）に、前記排出部（３４）と前記孔（３５）とを覆うと共に、側方に排出口（４１）を備えた外側カバー（４０）を取付け、
前記エンジン室（１１）に、エンジン（４）、ファン（１４）、ラジエータ（１５）を設け、
前記エンジン囲い体（１０）の左右一側面に吸込口２５を形成すると共に、左右他側面に吐出口２７を形成し、前記ファン（１４）を駆動することで吸込口（２５）から外気を吸い込み、ラジエータ（１５）を通して吐出口２７から外部に吐出するようにしたことを特徴とする作業機械のエンジン室である。
【０００８】
第１の発明によれば、エンジン室１１内のエンジン４が停止した後に、そのエンジン４から発生した熱でエンジン室１１内の温度が上昇した際に、エンジン室１１内に上昇気流が生じ、エンジン室１１内の高温の空気が排出部３４、外側カバー４０を通って外側カバー４０の排出口４１からエンジン室１１外部に排出される。
よって、エンジン停止後にエンジン４から発生した熱がエンジン室１１内にこもることがなく、そのこもり熱によってエンジン室１１内の温度が上昇しないので、エンジン室１１内の各種部材に熱影響を及ぼすことがない。
例えば、エンジンの燃料スピルパイプ等の熱によって損傷し易い各種ホース類が熱により損傷することがない。
エンジン始動モータの回転部に充填したグリスが硬化し、エンジン始動モータが回転不能となることがない。
【０００９】
また、エンジン囲い体１０の上面に形成した排出部３４は外側カバー４０で覆われ、その外側カバー４０は側方に排出口４１を備えているので、エンジン室１１外部の粉塵等が排出部３４からエンジン室１１に侵入することがない。
例えば、機体に木材破砕機を取付けた木材破砕機械の場合には、木材破砕機によって木材を破砕する際に多量の木材粉が発生し、その木材粉がエンジン室内に侵入すると種々の不具合が発生する一つの要因となるが、前述のように外側カバー４０で排出部３４を覆うことで、木材粉がエンジン室１１内に侵入しないようにできる。
【００１０】
【発明の実施の形態】
図１と図２に示すように、機体１に木材破砕機２、搬送コンベア３、エンジン４、走行体５等を取付けて自走式の木材破砕機械を形成している。
前記木材破砕機２は機体１の前後方向一側部に取付けてある。搬送コンベア３は木材破砕機２の下方位置から機体１の前後方向一側方に突出して取付けてある。
前記エンジン４は機体１の前後方向他側部に取付けてある。
前記走行体５は履帯式であるが、タイヤ式でも良い。また走行体５を設けずに定置式、可搬式の木材破砕機械としても良い。
【００１１】
前記木材破砕機２は、回転式破砕機６と、外部から投入された木材を回転によって回転式破砕機６に導入する回転式タブ７と、この回転式タブ７の上方に位置して回転式タブ７に木材を投入し易くするホッパ８と、このホッパ８の前後方向他側寄りで、かつ左右方向他側寄り部分を覆う飛散防止カバー９を備えている。
【００１２】
積込機械等によって木材をホッパ８に投入する。
ホッパ８に投入された木材は回転式タブ７内に投入され、その回転式タブ７の回転によって回転式破砕機６に導入されて破砕される。
この破砕時に破砕片の一部が上方に飛散するが、その上方に飛散した破砕片は飛散防止カバー９に衝突してホッパ８の外部に飛散することが防止される。
前述のようにして破砕された木材粉は搬送コンベア３で機体３の外部に搬送される。
【００１３】
前記機体１の前後方向他側部にエンジン囲い体１０を取付けてエンジン室１１を形成し、このエンジン室１１に前記エンジン４が取付けてある。
前記エンジン囲い体１０と木材破砕機２との間の機体１に機器カバー体１２が取付けられて機器収納室１３を形成している。
この機器収納室１３には図示しない燃料タンク、作動油タンク、油圧バルブ、他の各種機器等が取付けてある。
【００１４】
前記エンジン囲い体１０は図３、図４に示すように、左右一側面板２０と左右他側面板２１と前後一側面板２２と前後他側面板２３と上面板２４を備えた箱形状で、その左右一側面板２０に吸込口２５が形成され、かつその吸込口２５にスクリーン２６、例えば２重の金網が取付けてあり、その左右一側面板２０はヒンジ等で開閉自在である。
前記左右他側面板２１に吐出口２７が形成され、その吐出口２７には多孔板２８が取付けてあり、その左右他側面板２１はヒンジ等で開閉自在である。
【００１５】
前記エンジン室１１内に前述のエンジン４、ファン１４、ラジエータ１５等が取付けられ、エンジン４を駆動するとファン１４が回転して吸気口２５から外気を吸込み、ラジエータ１５を通して吐出口２７から外部に吐出する。
これによって、ラジエータ１５を流れるエンジン冷却水が冷却される。
また、吸込まれた外気はエンジン４の周囲を流れるので、エンジン４を直接冷却する。
【００１６】
前記エンジン囲い体１０の上面板２４にはエンジン等のメンテナンス用の開口部２９が形成してあり、この開口部２９は蓋３０で閉塞される。
前記蓋３０はヒンジ３１で上下回動自在に取付けてあり、その蓋３０のヒンジ３１と反対側寄りに把手３２が取付けてある。
前記蓋３０の上面（エンジン囲い体１０の上面）に複数の穴３３が形成され、この複数の穴３３で排出部３４を形成している。
前記蓋３０の上面におけるヒンジ３１寄り部分に略長円形の孔３５が形成してあり、この孔３５にエンジン４の排気マフラ１６が突出し、蓋３０をヒンジ３１を中心として上下に回動した時に蓋３０が排気マフラ１６に干渉しないようにしてある。
【００１７】
前記蓋３０に外側カバー４０が取付けてあり、この外側カバー４０で前記穴３３を覆うと共に、側方に排出口４１を形成している。
前記外側カバー４０は下向コ字状の覆板４２と、この覆板４２の一方の側方に固着した縦板４３で他方の側方に排出口４１を有する。
前記覆板４２が蓋３０に側面にボルト４４で取付けられ、縦板４３が蓋３０の上面に接し、その接触部がスポンジシール等の水密材で水密、気密してある。
前記外側カバー４０の覆板４２には、前記孔３５と対向した排気ガス出口４５が形成され、この排気ガス出口４５の周縁にカバー４６が固着してあり、前記排気マフラ１６から排出されたエンジン４の排気ガスは排気ガス出口４５から排気される。
【００１８】
このようであるから、エンジン４を停止した後にエンジン４から出される熱でエンジン室１１内が高温となると、上昇気流が生じ、エンジン室１１内の高温の空気が開口部２９、孔３３を通って排出口４１から外部に排出される。
よって、エンジン停止後にエンジン室１１内に熱がこもることがなく、そのこもり熱でエンジン室１１内が高温となることがない。
【００１９】
また、蓋３０とともに外側カバー４０をヒンジ３１を支点として上方に揺動して開口部２９を開放することで、その開口部２９からエンジン室１１内の各種機器を点検、修理することができる。
【００２０】
前記ファン１４はエンジン４で回転駆動しているが、そのファン１４は油圧モータ、電動モータ等で回転駆動しても良い。
このように油圧モータ、電動モータ等でファン１４を回転駆動すれば、そのファン１４をスクリーン２６とラジエータ１５との間に設けることができる。
【００２１】
前述したエンジン室１１の構造は木材破砕機械に限らず、岩石等の破砕機械、土質改良機械、油圧ショベル等の作業機械のエンジン室として利用できることは勿論である。
【図面の簡単な説明】
【図１】木材破砕機械の側面図である。
【図２】木材破砕機械の平面図である。
【図３】エンジン囲い体部分の縦断面図である。
【図４】エンジン囲い体部分の平面図である。
【符号の説明】
１…機体、２…木材破砕機、３…搬送コンベア、４…エンジン、１０…エンジン囲い体、１１…エンジン室、１４…ファン、１５…ラジエータ、２５…吸込口、２７…吐出口、２９…開口部、３０…蓋（エンジン囲い体の上面）、３４…排気部、４０…外側カバー、４１…排出口。
【図１】
0004507150.tif 000002
【図２】
0004507150.tif 000003
【図３】
0004507150.tif 000004
【図４】
0004507150.tif 000005